(57)【特許請求の範囲】
【請求項１】
優先順位の高いもしくは低い簡易メッセージをパケットデータサービスおよび回線交換サービスの両方を提供する公衆陸上移動網におけるサービス局から移動局へルーティングする方法であって、
ａ）移動局が簡易メッセージを特定の一方のサービスを介して受信すべきか任意のサービスを介して受信すべきかを前以て選択するステップと、
ｂ）ステップａ）における前記選択、サービス局から送られた簡易メッセージの優先順位、および移動局が一方もしくは両方のサービスを介して到達可能であるかどのサービスを介しても到達不能であるかの表示に基づいて、一方のサービスを介したルートもしくは両方のサービスを介したルートを選択するかあるいはどのルートも選択しないステップと、
ｃ）ステップｂ）において一方のサービスを介したルートが選択される場合には、選択したルートに従って簡易メッセージをルーティングするステップと、
ｄ）ステップｂ）において両方のサービスを介したルートが選択される場合には、他方のサービスよりもより高い優先度を有するサービスを介したルートを選択し、より高い優先度を有する前記サービスを介したルートに従って簡易メッセージをルーティングするステップと、
ｅ）ステップｄ）で選択されたより高い優先度を有する前記サービスを介したルートを介した移動局への簡易メッセージのルーティングが不成功である場合には、より低い優先度を有する前記他方のサービスを介したルートに従って簡易メッセージをルーティングするステップと、
を含む方法。
【請求項２】
請求項１記載の方法であって、いずれのサービスがより高い優先度を持つべきかを前以て選択するステップを含む方法。
【請求項３】
パケットデータサービスおよび回線交換サービスの両方を提供する公衆陸上移動網における移動局からサービス局へ簡易メッセージをルーティングする方法であって、移動局が簡易メッセージを特定の一方のサービスを介して送るべきか任意のサービスを介して送るべきかを前以て選択し、任意のサービスを介して送る場合には、一方のサービスへより高い優先度を与えるステップを含む方法。
【請求項４】
請求項３記載の方法であって、前記選択を簡易メッセージ毎に行うステップを含む方法。
【請求項５】
優先順位の高いもしくは低い簡易メッセージをパケットデータサービスおよび回線交換サービスの両方を提供する公衆陸上移動網におけるサービス局から移動局へルーティングする装置であって、
−移動局が簡易メッセージを特定の一方のサービスを介して受信すべきか任意のサービスを介して受信すべきかを前以て選択できるようにされた手段と、
−前記選択、サービス局から送られた簡易メッセージの優先順位、および移動局が一方もしくは両方のサービスを介して到達可能であるかどのサービスを介しても到達不能であるかの表示に基づいて、一方のサービスを介したルートもしくは両方のサービスを介したルートを選択するかあるいはどのルートも選択しないようにされた手段と、
−一方のサービスを介したルートが選択される場合には、選択したルートに従って簡易メッセージをルーティングするようにされた手段と、
−両方のサービスを介したルートが選択される場合には、一方では他方のサービスよりもより高い優先度を有するサービスを介したルートを選択し、他方ではより高い優先度を有する前記サービスを介したルートに従って簡易メッセージをルーティングするようにされた手段と、
−より高い優先度を有するサービスを介したルートによる移動局への簡易メッセージのルーティングが不成功である場合には、より低い優先度を有する前記他方のサービスを介したルートに従って簡易メッセージをルーティングするようにされた手段と、を含む装置。
【請求項６】
請求項５記載の装置であって、いずれのサービスがより高い優先度を持つべきかを前以て選択できるようにされた手段を含む装置。
【請求項７】
パケットデータサービスおよび回線交換サービスの両方を提供する公衆陸上移動網における移動局からサービス局へ簡易メッセージをルーティングする装置であって、一方では移動局が簡易メッセージを特定の一方のサービスを介して送るべきか任意のサービスを介して送るべきかを前以て選択できるようにされ、他方では任意のサービスを介して簡易メッセージを送る場合に一方のサービスへより高い優先度を与えるようにされた手段を含む装置。
【請求項８】
請求項７記載の装置であって、前記選択できるようにされた装置は簡易メッセージ毎に選択できるようにされている装置。
【発明の詳細な説明】
発明の分野
本発明はパケットデータサービスおよび回線交換サービスの両方を提供する公衆陸上移動網における簡易メッセージ（ｓｈｏｒｔ  ｍｅｓｓａｇｅ）ルーティング方法および装置に関する。
従来技術
簡易メッセージサービスは一般的に移動通信網において広く知られている。ＧＰＲＳ（Ｇｅｎｅｒａｌ  Ｐａｃｋｅｔ  Ｒａｄｉｏ  Ｓｅｒｖｉｃｅ）と呼ばれる特別なタイプのこのようなネットワークがＥＴＳＩ（欧州電気通信標準化協会）により１９９７年２月２７日、ＧＳＭ仕様書ＧＳＭ０３．６０バージョン１．１に明記されている。ＧＰＲＳ通信システムのさまざまなノード間における移動着信および移動発信簡易メッセージ転送の両方についてこのＧＳＭ仕様書に記述されている。
この仕様書は簡易メッセージがネットワークをどのようにルーティングされるかを制御する際のいかなるフレキシビリティもネットワークオペレータおよび／もしくは加入者すなわちエンドユーザに与えない。
次に、添付図１−４を参照してそれについて説明する。
図１は本発明に従ってパケットデータサービスおよび回線交換サービスの両方を提供する既存の公衆陸上移動網の一部の実施例を略示する。
図２は図１のネットワークにおける簡易メッセージのパケットサービスを介した既知の移動着信転送の成功例を示す。
図３は図１のネットワークにおける簡易メッセージのパケットサービスを介した既知の移動着信転送の不成功例を示す。
図４は図１のネットワークにおける簡易メッセージのパケットサービスを介した既知の移動発信転送の成功例を示す。
図１はパケットデータサービスおよび回線交換サービスの両方を提供する既存の公衆陸上移動網の一部の実施例を略示する。図示するネットワークはホームロケーションレジスタＨＬＲ、移動交換局／ビジターロケーションレジスタＭＳＣ／ＶＬＲ、基地局システムＢＳＳ、簡易メッセージサービス相互作用移動交換局ＳＭＳ−ＩＷＭＳＣと組み合わされた簡易メッセージサービスゲートウェイ移動交換局ＳＭＳ−ＧＭＳＣ、簡易メッセージサービス局ＳＭ−ＳＣ、サービングジェネラルパケット無線サービスサポートノード（ａ  ｓｅｒｖｉｎｇ  ｇｅｎｅｒａｌ  ｐａｃｋｅｔ  ｒａｄｉｏ  ｓｅｒｖｉｃｅ  ｓｕｐｐｏｒｔ  ｎｏｄｅ）ＳＧＳＮ、およびゲートウェイジェネラルパケット無線サービスサポートノードＧＧＳＮを含んでいる。図１には１つの移動局ＭＳも図示されている。
図１のネットワークにおける移動局（ＭＳ）への簡易メッセージサービス（ＳＭＳ）の成功例、すなわち簡易メッセージ（ＳＭ）の移動着信転送（ｍｏｂｉｌｅ  ｔｅｒｍｉｎａｔｉｎｇ  ｔｒａｎｓｆｅｒ）の成功例、を図２について説明する。
ステップ（１）において、簡易メッセージサービス局（ＳＭ−ＳＣ）はＳＭＳをＭＳへ送りＳＭＳ−ＧＭＳＣへ転送しなければならないことを確認する。
ステップ（２）において、ＳＭＳ−ＧＭＳＣはＭＳのアドレスを調べて”ＳＭに対するルーティング情報を送る（ｓｅｎｄ  ｒｏｕｔｉｎｇ  ｉｎｆｏ）（ＳＲＩ）”メッセージをＨＬＲへ送る。
ステップ（３）において、ＨＬＲは”ＳＭに対するＳＲＩ受信通知”メッセージをＳＭＳ−ＧＭＳＣへ返す。図２に示す転送では、このメッセージは前のＧＰＲＳおよびＧＳＭルーティングエリア／ローケーション更新後にＨＬＲがこれらのアドレスを格納していると仮定すればＳＧＳＮアドレスおよびＭＳＣアドレスの両方を含む筈である。
この既知の転送に従って、ＳＭＳが常に最初にＧＰＲＳを介して送られる。したがって、ステップ（４）において、ＳＭＳ−ＧＭＳＣはＳＭＳをＳＧＳＮへ転送する。
ステップ（５）において、ＳＧＳＮはＳＭＳをＭＳへ転送する。
ＭＳへの簡易メッセージ転送が成功する場合には、ステップ（６）において、ＳＧＳＮはＳＭＳの配送成功を示す報告をＳＭＳ−ＧＭＳＣへ返す。
ステップ（７）において、ＳＭＳ−ＧＭＳＣはＳＭＳの配送成功を示す報告をＳＭ−ＳＣへ返す。
図３にＭＳへのＳＭＳの転送不成功例を示す。
図３のステップ（１）−（４）は図２のステップ（１）−（４）と同じである。
しかしながら、図３のステップ（５）において、ＳＧＳＮはＭＳへのＳＭＳの転送を試みるが失敗する。それは、ＭＳがＧＰＲＳに取り付けられていなかったり無線チャネル状態が悪い場合に生じることがある。
図３のステップ（６）において、ＳＧＳＮは移動局到達不能フラグＭＮＲＦをセットしＳＭＳの配送不成功を示す失敗報告をＳＭＳ−ＧＭＳＣへ返す。
図３のステップ（７）において、ＳＭＳ−ＧＭＳＣは図２に関して説明したようにステップ（３）で受信したＭＳＣアドレスを使用して簡易メッセージに対する替わりのより優先度の低いルートを選択する。このようにして、ＳＭＳがＭＳＣ／ＶＬＲへ転送される。
ステップ（８）において、ＭＳＣ−ＶＬＲは既存のＧＳＭ手順によるＭＳへのＳＭＳへの転送を試みるが、本例では、試みは失敗するものと仮定する。
図３のステップ（９）において、ＭＳＣ／ＶＬＲは移動局到達不能フラグＭＮＲＦをセットしＳＭＳの配送不成功を示す失敗報告をＳＭＳ−ＧＭＳＣへ返す。
図３のステップ（１０）において、ＳＭＳ−ＧＭＳＣは”簡易メッセージ配送報告状態”メッセージをＨＬＲへ送る。
ステップ（１１）において、ＨＬＲはそのメッセージ待機表示フィールドを更新し”簡易メッセージ配送報告状態受信通知”メッセージをＳＭＳ−ＧＭＳＣへ返す。
ステップ（１２）において、最後に、ＳＭＳ−ＧＭＳＣはＳＭＳの配送不成功を示す失敗報告をＳＭ−ＳＣへ返す。
図２および図３に関して前記した２つの転送手順は、ＳＭＳが常に最初にＧＰＲＳを介して送られかつネットワークのオペレータおよび／もしくはＭＳのエンドユーザ、すなわち着信ＭＳのユーザ、はネットワークでＳＭＳをどのようにルーティングすべきかを制御することができない点においていかなるフレキシビリティも提供するものではない。
図４にＭＳからＳＭ−ＳＣへの既知のＳＭＳ転送成功例を示す。
図４のステップ（１）において、ＳＭがＭＳからＳＧＳＮへＢＳＳを介して転送される。
図４のステップ（２）において、ＳＧＳＮはＳＭＳをＳＭＳ−ＩＷＭＳＣへ転送する。
ステップ（３）において、ＳＭＳはＳＣへ転送成功するものと仮定する。
ステップ（４）において、転送成功報告がＳＣからＳＭＳ−ＩＷＭＳＣへ送られる。
ステップ（５）において、ＳＭＳ−ＩＷＭＳＣは転送成功をＳＧＳＮへ報告し、ステップ（６）において、ＳＧＳＮによりＭＳへ転送成功が報告される。
ＳＭＳの移動発信転送においても、ＳＭＳは常に最初にＧＰＲＳを介して送られ、したがって、ネットワークオペレータおよび／もしくはＭＳのエンドユーザは移動発信ＳＭＳをネットワークでどのようにルーティングすべきかを制御することができないため移動発信ＳＭＳ転送に対するいかなるフレキシビリティも提供されない。
それは各移動着信もしくは移動発信ＳＭＳ転送に対して、ＧＰＲＳは常に回線交換（ＣＳ）サービスに優先し、すなわちＳＭＳが最初にＧＰＲＳを介して送られ、エンドユーザは最初に常にＧＰＲＳ料金に従って課金されることを意味する。移動着信ＳＭＳ転送がＧＰＲＳで失敗する場合だけ、エンドユーザはＣＳサービス料金に従って課金される。
前記したように、現在、ＳＭＳは常に最初にＧＰＲＳを介して送られる。その結果、ネットワークオペレータはＧＰＲＳ容量問題、輻輳問題、ネットワーク問題、等の場合にＣＳを介してＳＭＳを再ルーティングする方法がない。ＧＰＲＳを介したＳＭＳ転送はＣＳへＳＭＳが送られる前に失敗しなければならない。したがって、シグナリング容量は無料で使用される。さらに、エンドユーザは常に最初にＧＰＲＳ料金に従って課金されＳＭＳがＧＰＲＳを介して失敗しＣＳを介して成功する場合だけＣＳ料金に従って課金される。オペレータはＳＭの配送に使用したパスに基づいた異なる課金を提示することはない。
発明の要約
したがって、本発明の目的はオペレータおよび／もしくはエンドユーザが簡易メッセージをネットワークでどのようにルーティングされるかを制御できるようにしてネットワークにフレキシビリティを与えることである。
それは、本発明に従って、優先順位の高いもしくは低い簡易メッセージをパケットデータサービスおよび回線交換サービスの両方を提供する公衆陸上移動網内のサービス局から移動局へルーティングする方法であって、簡易メッセージを移動局が特定の一方のサービスを介して受信すべきか任意のサービスを介して受信すべきかが前以て選択される方法により達成される。ステップの前記選択、サービス局から送られる簡易メッセージの優先順位、および一方もしくは両方のサービスを介して移動局に到達可能であるかあるいはどのサービスを介しても到達不能であるかの表示に基づいて、一方のサービスを介したルートもしくは両方のサービスを介したルートが選択されるかあるいはどのルートも選択されない。一方のサービスを介したルートが選択される場合には、選択されたルートに従って簡易メッセージがルーティングされる。両方のサービスを介したルートが選択される場合には、他のサービスよりもより高い優先度を有するサービスを介したルートが選択され、簡易メッセージはより高い優先度を有する前記サービスを介したルートに従ってルーティングされる。より高い優先度を有する前記サービスを介したルートを介した移動局への簡易メッセージのルーティングが不成功であれば、簡易メッセージはより低い優先度を有する前記他方のサービスを介したルートに従ってルーティングされる。
この目的はまた、本発明に従って、優先順位の高いもしくは低い簡易メッセージをパケットデータサービスおよび回線交換サービスの両方を提供する公衆陸上移動網内のサービス局から移動局へルーティングする装置であって、簡易メッセージを移動局が特定の一方のサービスを介して受信すべきか任意のサービスを介して受信すべきかを前以て選択することができる手段が提供される装置により達成される。前記選択、サービス局から送られる簡易メッセージの優先順位、および一方もしくは両方のサービスを介して移動局に到達可能であるかどのサービスを介しても到達不能であるかの表示、１つのサービスを介したルート、両方のサービスを介したルートを介して移動局に基づいて、一方のサービスを介したルートもしくは両方のサービスを介したルートを選択するかあるいはどのルートも選択しない手段も提供される。一方のサービスを介したルートが選択される場合に、選択されたルートに従って簡易メッセージをルーティングする手段が提供される。両方のサービスを介したルートが選択される場合に、一方では他方のサービスよりもより高い優先度を有するサービスを介したルートを選択し、他方ではより高い優先度を有する前記サービスを介したルートに従って簡易メッセージをルーティングする手段が提供される。より高い優先度を有するサービスを介したルートを介した移動局への簡易メッセージのルーティングが不成功である場合には、より低い優先度を有する前記他方のサービスを介したルートに従って簡易メッセージをルーティングする手段が提供される。
それによりネットワークオペレータおよびエンドユーザの両方に対するフレキシビリティが得られる。
【図面の簡単な説明】
次に添付図の図５、図６、および図７について本発明を説明する。
図５は本発明に従った図１のネットワークにおける簡易メッセージの移動着信転送の成功例を示す。
図６は提供される一方のサービスに移動局優先度が設定されている図１のネットワークにおける簡易メッセージの移動発信転送の成功例を示す。
図７は提供される他方のサービスに移動局優先度が設定されている図１のネットワークにおける簡易メッセージの回線交換を介した移動発信転送の成功例を示す。
好ましい実施例
移動着信簡易メッセージ転送（ｍｏｂｉｌｅ  ｔｅｒｍｉｎａｔｅｄ  ｓｈｏｒｔ  ｍｅｓｓａｇｅ  ｔｒａｎｓｆｅｒ）
本発明に従って、ＳＭＳが配送されるルートを選択できるようにするためにＨＬＲ内に新しいカテゴリーが導入される。このカテゴリーは表Ｉに示す値を持たなければならない。
0003889451.tif 000002
エンドユーザは他のＧＳＭ補足サービスと同じ手順を使用してＭＳ上の所望値にＳＭＳパスカテゴリーを設定することができ、ネットワークオペレータはコマンドによりカテゴリーを設定することができる。
特定値、すなわちＳＧＳＮおよび／もしくはＭＳＣ、への設定は一方のパスが他方よりも低廉とすることができる課金問題もしくはＧＰＲＳ網を過負荷とすることができる容量問題のいずれかの観点から行うことができる。エンドユーザがいかなる優先度も持たない場合には、ＳＧＳＮ／ＭＳＣ値により簡易メッセージ配送の成功確率が高くなる。
ＳＣにより設定され送られるＳＭＳの優先順位、高いもしくは低い、に基づいてＨＬＲはＳＭＳ−ＧＭＳＣへ下記の表IIに基づいたノードアドレスを与える。
0003889451.tif 000003
ＩＭＳＩ分離によるＳＭＳ失敗もしくはページング失敗の場合には、ＭＳＣ／ＶＬＲはＭＮＲＦフラグをセットしＨＬＲは副次的原因（ｓｕｂ−ｃａｕｓｅ）：”ＩＭＳＩ分離”もしくは”ＣＳページング失敗”を含む原因：”加入者不在”を有するＳＭＳ−ＧＭＳＣにより通知される。
その結果、ＨＬＲはＭＮＲＦフラグをセットしかつ受信した副次的原因を格納する。
ＭＳはＧＰＲＳおよび／もしくはＩＭＳＩ分離、あるいはＧＰＲＳおよび／もしくはＣＳページング失敗であるという情報をＨＬＲが入手すると、”加入者不在”、すなわち、”ＧＰＲＳ分離”もしくは”ＧＰＲＳページング失敗”に２つの新しい副次的原因が付加される。
下記のさまざまなケースが生じる。
”ＳＭに対するＳＲＩ”の結果ＳＧＳＮアドレスしか送られずＳＭＳがＧＰＲＳに対して拒絶される場合には、すなわちＧＰＲＳ分離もしくはＧＰＲＳページング失敗の場合には、ＳＧＳＮはＧＮＲＦフラグをセットする。
”ＳＭに対するＳＲＩ”の結果ＭＳＣおよびＳＧＳＮアドレスの両方が送られＳＭＳがＣＳおよびＧＰＲＳに対して拒絶される場合には、すなわち前記４つの副次的原因間で混合される場合には、ＭＳＣ／ＶＬＲはＭＮＲＦフラグをセットしＳＧＳＮはＧＮＲＦフラグをセットする。
次に、ＳＭＳ−ＧＭＳＣは状況に応じて１つもしくはいくつかの副次的原因を含むエラー”加入者不在”を有するＳＭ配送報告状態動作を送ってＨＬＲに通知する。
その結果、ＨＬＲは受信した副次的原因に従ってフラグＧＮＲＦおよび／もしくはフラグＭＮＲＦをセットする。これらの副次的原因も格納される。
下記のケースにおいて２つのフラグがリセットされる。
−ＨＬＲはＭＳＣ／ＶＬＲもしくはＳＧＳＮからの”ＳＭ動作準備完了”によりＭＳに再度到達可能であるという通知を受ける。この動作においてＨＬＲが発信エンティティに応じて対応するＭＮＲＦもしくはＧＮＲＦフラグをリセットするように新しい発信エンティティパラメータが送られる。
−ＨＬＲはＣＳもしくはＧＰＲＳに対するＳＭの配送は成功したという表示を有するＳＭ配送報告状態動作を受信する。
”ＳＭに対するＳＲＩ”においてＳＧＳＮおよびＭＳＣアドレスが送られておりかつ１つのパスを介した最初の試みが不成功であり他方のパスを介した第２の試みが成功であった場合には、
−ＣＳもしくはＧＰＲＳに対するさまざまな副次的原因を含むエラー”加入者不在”、すなわち最初の試みの失敗、
−ＣＳもしくはＧＰＲＳに対するＳＭの配送は成功したという表示、
を有するＳＭ配送報告状態動作がＳＭＳ−ＧＭＳＣからＨＬＲへ送られてＨＬＲが対応するＭＮＲＦおよび／もしくはＧＮＲＦフラグをセット／リセットする準備がなされる。
本発明に従って、ＳＭＳ−ＧＭＳＣがＨＬＲからＳＧＳＮおよびＭＳＣアドレスを受信する場合にＳＭＳがどのように配送されるべきかを配慮するためにＳＭＳ−ＧＭＳＣに新しいカテゴリーが導入される。このカテゴリーは下記の表IIIに従った値を持たなければならない。
0003889451.tif 000004
図５において、両方のパス、すなわちＳＧＳＮおよびＭＳＣ、を介した不成功移動着信ＳＭＳ転送を前記したように本発明に従って導入されるカテゴリーに関連して説明する。
ステップ（１）：ＳＭ−ＳＣからＳＭＳ−ＧＭＳＣへの簡易メッセージ転送。
ステップ（２）：ＨＬＲへ送られた”ＳＭに対するＳＲＩ”。
ステップ（３）：ＳＧＳＮアドレスおよびＭＳＣアドレスの両方を含む、ＨＬＲから受信した”ＳＭに対するＳＲＩ受信通知”。
ＳＣから送ったＳＭの優先順位に基づきかつＳＭＳパスカテゴリーに基づいて、ＨＬＲは前記表IIに従ってＳＧＳＮアドレスもしくはＭＳＣアドレスもしくはその両方をＳＭＳ−ＧＭＳＣへ送る。
両方のアドレスを受信する場合、ＳＭＳ−ＧＭＳＣはＳＭが最初にＳＧＳＮ（４ａ−５ａ−６ａ）を進むべきかＭＳＣ（４ｂ−５ｂ−６ｂ）を進むべきかを決定するために前記表IIに示すＳＭＳパス優先順位カテゴリーを調べる。失敗報告を受信すると、ＳＭＳ−ＧＭＳＣは他方のパスへ簡易メッセージを通す。
ステップ（４ａ／７ｂ）：ＳＭをＳＧＳＮへ転送する。
ステップ（５ａ／８ｂ）：仮定したメッセージ転送失敗。
ステップ（６ａ／９ｂ）：ＳＭＳ−ＧＭＳＣへの失敗報告。
ステップ（４ｂ／７ａ）：ＳＭをＭＳＣ／ＶＬＲへ転送する。
ステップ（５ｂ／８ａ）：仮定したメッセージ転送失敗。
ステップ（６ｂ／９ａ）：ＳＭＳ−ＧＭＳＣへの失敗報告。
ステップ（１０）：ＨＬＲへのＳＭ配送報告状態［理由：ＧＰＲＳ／ＩＭＳＩ分離］。
ステップ（１１）：ＨＬＲからのＳＭ配送報告状態受信通知。
ステップ（１２）：ＳＣへの失敗報告［理由：ＧＰＲＳ／ＩＭＳＩ分離および／もしくはＧＰＲＳ／回線交換ページング失敗］。
移動体発信簡易メッセージ転送
本発明に従って、ネットワークへＳＭＳを配送すべき方法をＳＭＳ毎に決定するために、前記したＳＭＳパスカテゴリーがＭＳ内へ導入される。このカテゴリーは下記の表IVに従った値を有する。
0003889451.tif 000005
図６に関して、前記表IVに従って”ＳＧＳＮ  ＰＲＩＯＲＩＴＹ”に設定されたＭＳカテゴリーにより移動発信ＳＧＳＮ転送の成功例について説明する。
ステップ（１）：ＭＳからのメッセージ転送。
ＭＳはＳＭＳパス優先順位を無線インターフェイスを介してＢＳＳへ送る。
ステップ（１ａ）：ＳＧＳＮへのＳＭ転送。
ステップ（２ａ）：ＳＭをＳＭＳ−ＩＷＭＳＣへ転送する。
ステップ（３）：ＳＣへのＳＭ転送。
ステップ（４）：ＳＣからＳＭＳ−ＩＷＭＳＣへの成功報告。
ステップ（５）：ＳＭＳ−ＩＷＭＳＣからＳＧＳＮへの成功報告。
ステップ（６）：ＳＧＳＮからＭＳへの成功報告。
図７に関して、前記表IVに従って”ＭＳＣ  ＰＲＩＯＲＩＴＹ”に設定されたＭＳカテゴリーにより移動発信ＳＭＳ転送の成功例について説明する。
ステップ（１）：ＭＳからのＳＭ転送。
ＭＳはＳＭＳパス優先順位を無線インターフェイスを介してＢＳＳへ送る。
ステップ（１ｂ）：ＭＳＣ／ＶＬＲへのＳＭ転送。
ステップ（２ｂ）：ＭＳＣ／ＶＬＲはＳＭをＳＭＳ−ＩＷＭＳＣへ転送する。
ステップ（３ｂ）：ＳＭＳ−ＩＷＭＳＣはＳＭをＳＣへ転送する。
ステップ（４）：ＳＣからＳＭＳ−ＩＷＭＳＣへ送った成功転送報告。
ステップ（５）：ＳＭＳ−ＩＷＭＳＣからＭＳＣ／ＶＬＲへ送った成功転送報告。
ステップ（６）：ＭＳＣ／ＶＬＲからＭＳへ送った成功転送報告。
カテゴリー”ＳＧＳＮ／ＭＳＣ  ＰＲＩＯＲＩＴＹ”はＢＳＳがＳＭＳをＧＰＲＳチャネルもしくはＣＳチャネルを介して送る判断を行うのに使用することもできる（例えば、チャネル輻輳）。このカテゴリーによりネットワークはユーザの替わりに移動発信ＳＭＳ伝送モードを判断することができる。
本発明により得られる利点はネットワークオペレータおよびエンドユーザ、すなわち加入者、がネットワークでＳＭＳをどのようにルーティングすべきかを判断できることである。ＳＭＳ配送コストはルーティング方法、すなわち回線交換パスもしくはパケット交換パスを使用する、によって決まるためＧＰＲＳ内でのＳＭＳのインプリメンテーションに対してこれらのシナリオを明確に定めることは重要である。
また、このフレキシビリティによりネットワークオペレータは簡易メッセージの配送に使用したパスに基づいて異なる課金を提示することができる。
前記したことからお判りのように、本発明に従ってより大きなフレキシビリティが得られる。
このフレキシビリティによりオペレータはネットワークリソースをより効率的に取り扱うことができる。
【図１】
0003889451.tif 000006
【図２】
0003889451.tif 000007
【図３】
0003889451.tif 000008
【図４】
0003889451.tif 000009
【図５】
0003889451.tif 000010
【図６】
0003889451.tif 000011
【図７】
0003889451.tif 000012